(57)【要約】【課題】ダイレクトメールに硬質感と高級なイメージとを与えるとともに、開封時に折って開封することにより消費者の期待を膨らませ、開封率、返信率を向上させる。【解決手段】内側の部分に塗った剥離可能な接着剤で折畳み状態を維持するシート状の広告基材１０の対向する端部に、開封操作をしやすくするための一対の摘まみ部１３ａ、１３ｂを設け、広告基材１０の折畳み状態で摘まみ部１３ａ、１３ｂを含まない面１０ｃに柔軟性の少ない薄板状の背板１７を接着し、その背板１７に、二つ折りにすることによって摘まみ部１３ａ、１３ｂを開封操作以前に沿っていた中央部１０ｃの面から立ち上がらせることができる折り線１７ｃを設ける。【選択図】図１
2007168836.tif 000002
【特許請求の範囲】
【請求項１】
平に折畳んだ折畳み状態の内側の部分に情報の主要部分が表示されていて、前記内側の部分に設けた剥離可能な接着層で前記折畳み状態を維持するシート状の広告基材と、
前記広告基材の対向する端部に設けられ、前記折畳み状態から展開状態にする際の開封操作をしやすくするための一対の摘まみ部と、
折畳み状態の前記広告基材に剥離可能に接着された柔軟性の少ない薄板状のベース基材と、
二つ折りにすることによって前記摘まみ部を前記開封操作以前に沿っていた面から立ち上がらせるために、前記折畳み状態の摘まみ部の位置に対応して前記ベース基材の所定の位置に設けられた折り線と、
を含む情報送付媒体。
【請求項２】
平に折畳んだ折畳み状態の内側の部分に情報の主要部分が表示されている屈曲性の少ないシートからなり、前記内側の部分に設けた剥離可能な接着層で前記折畳み状態を維持する広告基材と、
前記広告基材の対向する端部に設けられ、前記折畳み状態から展開状態にする際の開封操作をしやすくするための一対の摘まみ部と、
二つ折りにすることによって前記摘まみ部を前記開封操作以前に沿っていた面から立ち上がらせるために、前記折畳み状態の摘まみ部の位置に対応して前記広告基材の所定の位置に設けられた折り線と、
を含む情報送付媒体。
【請求項３】
請求項１又は請求項２に記載の情報送付媒体において、
前記広告基材は、中央部と左右の折返し部とからなり、前記折畳み状態では中央部に対し左右の前記折返し部がそれぞれ左右の折り線に沿って折り返され、前記折返し部の先端同士が突き合わされて突合わせ線を形成し、
前記摘まみ部は、前記ベース基材の折り線に重なる仮想線と前記突合わせ線とに挟まれる部分又はその付近であること、
を特徴とする情報送付媒体。
【請求項４】
請求項１から請求項３までのいずれかに記載の情報送付媒体において、
前記折畳み状態の広告基材の中に、前記広告基材から独立したシート類が挿入されていること、
を特徴とする情報送付媒体。
【発明の詳細な説明】
【技術分野】
【０００１】
本発明は、主として個人向けの広告媒体として利用されるダイレクトメールに好適な情報送付媒体に関するものである。
【背景技術】
【０００２】
従来の一般的なダイレクトメールは、長形３号封筒や長形４号封筒などにチラシを詰めたものが多い。最近では、チラシと封筒とを一体型にした、いわゆるワンピースメールなども数多く流通している（例えば、特許文献１）。
また、民間企業の郵便事業参入により、今まで郵便の定形外であったＡ４書類用の角形２号封筒や、Ｂ５書類用の角形３号封筒などのダイレクトメール（例えば、商品名「ゆうゆうダイレクト」など）が、郵便代金に近い低料金で送付可能なため、ダイレクトメールの形態は急速に多様化されつつある。
【０００３】
このように、ダイレクトメールの種類が多様化し、流通量が増えた現在においては、普通の形態のダイレクトメールでは、受け取った者に開封もされず、廃棄されてしまう可能性がある。そこで、消費者にどれだけ興味を引かせ、開封させるかが、ダイレクトメール発送の有用性の大きな鍵となっている。したがって、ダイレクトメールを発送する各社では、そのデザイン、形態、開封のさせ方などに色々と趣向を凝らし、消費者の開封率、返信率を向上させることに力を注いでいる。
【０００４】
このうち、開封方法に特徴があるものとしては、糸を引張って開封するタイプの「封切り糸付き郵便封筒」（例えば、特許文献２）や、「糸開封々筒」（例えば、特許文献３）などがある。
また、封筒に引換券を印刷しておき、ミシン目によって引換券を切り取ると、自動的に開封される「封筒」（例えば、特許文献４）などもある。
しかし、上記文献に示されたものは、それぞれ開封時の煩わしい操作を簡便化するには役立つが、特に目新しいものではなく、それほど興味を引くものではなかった。
【０００５】
【特許文献１】実用新案登録第３０２０９２４号公報
【特許文献２】特開平９−１０４４４２号公報
【特許文献３】特開平９−１５０８３９号公報
【特許文献４】特開２００４−２１０３６０号公報
【発明の開示】
【発明が解決しようとする課題】
【０００６】
本発明の課題は、今までに無い感触を与えて消費者の期待を膨らませ、開封率、返信率の向上に寄与するような新しい形式の情報送付媒体を提供することである。
【課題を解決するための手段】
【０００７】
本発明は、以下のような解決手段により、前記課題を解決する。なお、理解を容易にするために、本発明の実施例に対応する符号を付して説明するが、これに限定されるものではない。
請求項１の発明は、平に折畳んだ折畳み状態の内側の部分に情報の主要部分が表示されていて、前記内側の部分に設けた剥離可能な接着層（１４ａ）で前記折畳み状態を維持するシート状の広告基材（１０）と、前記広告基材（１０）の対向する端部に設けられ、前記折畳み状態から展開状態にする際の開封操作をしやすくするための一対の摘まみ部（１３ａ、１３ｂ）と、折畳み状態の前記広告基材（１０）に剥離可能に接着された柔軟性の少ない薄板状のベース基材（１７）と、二つ折りにすることによって前記摘まみ部（１３ａ、１３ｂ）を前記開封操作以前に沿っていた面から立ち上がらせるために、前記折畳み状態の摘まみ部（１３ａ、１３ｂ）の位置に対応して前記ベース基材（１７）の所定の位置に設けられた折り線（１７ｃ）と、を含む情報送付媒体である。
請求項２の発明は、平に折畳んだ折畳み状態の内側の部分に情報の主要部分が表示されている屈曲性の少ないシートからなり、前記内側の部分に設けた剥離可能な接着層（２４ａ）で前記折畳み状態を維持する広告基材（２０）と、前記広告基材（２０）の対向する端部に設けられ、前記折畳み状態から展開状態にする際の開封操作をしやすくするための一対の摘まみ部（２３ａ、２３ｂ）と、二つ折りにすることによって前記摘まみ部（２３ａ、２３ｂ）を前記開封操作以前に沿っていた面から立ち上がらせるために、前記折畳み状態の摘まみ部（２３ａ、２３ｂ）の位置に対応して前記広告基材（２０）の所定の位置に設けられた折り線（２１ｃ）と、を含む情報送付媒体である。
請求項３の発明は、請求項１又は請求項２に記載の情報送付媒体において、前記広告基材（１０）は、中央部（１０ｃ）と左右の折返し部（１０ａ、１０ｂ）とからなり、前記折畳み状態では中央部（１０ｃ）に対し左右の前記折返し部（１０ａ、１０ｂ）がそれぞれ左右の折り線（１１ａ、１１ｂ）に沿って折り返され、前記折返し部（１０ａ、１０ｂ）の先端同士が突き合わされて突合わせ線（１２）を形成し、前記摘まみ部（１３ａ、１３ｂ）は、前記ベース基材（１７）の折り線（１７ｃ）に重なる仮想線（１６）と前記突合わせ線（１２）とに挟まれる部分又はその付近であること、を特徴とする情報送付媒体である。
請求項４の発明は、請求項１から請求項３までのいずれかに記載の情報送付媒体において、前記折畳み状態の広告基材（１０）の中に、前記広告基材（１０）から独立したシート類（１５）が挿入されていること、を特徴とする情報送付媒体である。
【発明の効果】
【０００８】
本発明によれば、以下のような効果がある。
（１）剥離可能な接着層で折畳み状態を維持する広告基材に、折畳み状態から展開状態にする際の操作を容易にするための摘まみ部を備えさせ、広告基材に剥離可能に接着されたベース基材を二つ折りすることによって摘まみ部を立ち上がらせることができるので、硬質感と高級感とを与えるとともに、開封者は、開封時に折って開封するという今までに無い新しい感触が得られ、さらに立ち上がった摘まみ部を摘まんで広告基材を容易に開くことができる。したがって、これらの操作の過程において消費者の期待を大きく膨らませることができるので、開封率、返信率を向上させることができる。
【０００９】
（２）広告基材に屈曲性の少ないものを使用し、開封操作をしやすくするための摘まみ部を備えさせ、摘まみ部を立ち上がらせることができるような折り線を設けることにより、広告基材の中央部がベース基材の役目をはたし、ベース基材が無くても上記のものと同様の効果をあげることができる。
【００１０】
（３）摘まみ部は、ベース基材の折り線に重なる仮想線と突合わせ線とに挟まれる部分又はその付近であるので、上記効果を具体的に実現することができる。
【００１１】
（４）折畳み状態の広告基材の中に、広告基材から独立したシート類を挿入することにより、開封者に予想外の喜びを与えるので、情報送付媒体の付加価値を高めることができる。また、シート類の配置の仕方によっては、開封時に、シート類を飛び出させるようにすることもでき、インパクトのある情報送付媒体とすることができる。
【発明を実施するための最良の形態】
【００１２】
本発明は、今までに無い感触を与えて消費者の期待を膨らませ、開封率、返信率の向上に寄与するような新しい形式の情報送付媒体を提供するという目的を、開封時に全体を折り曲げて開封する情報送付媒体とすることにより実現する。
【実施例１】
【００１３】
以下、図面等を参照して、本発明の実施例について、さらに詳しく説明する。
図１は、本発明による情報送付媒体の実施例１を示す図（分解斜視図）である。
図２は、図１のダイレクトメールの広告基材１０の展開状態を示す平面図である。
図３は、図１のダイレクトメールの開封前の状態（折畳み状態）を示す斜視図である。
図４は、図３の図中のＸ−Ｘで切断し、その一部（中央部と両端部）を拡大して示す説明図（端面図）である。
図５は、接着剤を広告基材１０の折畳み状態の内側全面に対してではなく、一部選択的に塗布する場合の塗布範囲の一例を、展開状態で示した説明図（平面図）である。
【００１４】
図１及び図２に示すように、ダイレクトメール（情報送付媒体）の広告基材１０は、媒体の左の部分（以下、左折返し部という。）１０ａ、媒体の中央の部分（以下、中央部という。）１０ｃ、媒体の右の部分（以下、右折返し部という。）１０ｂが、この順に連続する横長のシート状の基材である。
広告基材１０の素材は、紙や合成樹脂などであり、伸縮性に乏しいが多少屈曲性があって適度に薄いものがよい。
広告基材１０は、折畳み状態では、左右の折返し部１０ａ、１０ｂが、中央部１０ｃとの境界線に設けられた左右の折り線１１ａ、１１ｂのところでそれぞれ折り返されて、対向する先端同士が突き合わされる。
左右の折り線１１ａ、１１ｂは、厚さが他の部分より薄くなるように加工してもよいし、ミシン目をつけて折り線としてもよい。
【００１５】
図３に示すように、左右の折返し部１０ａ、１０ｂの端部は、折畳み状態では、左折返し部１０ａの端部の出張り部分１２ａが、右折返し部１０ｂの端部の凹み部分１２ｄに、右折返し部１０ｂの端部の出張り部分１２ｃが、左折返し部１０ａの端部の凹み部分１２ｂに、それぞれ突き合わされる。したがって、端部の出張り部分１２ａと凹み部分１２ｄ、出張り部分１２ｃと凹み部分１２ｂの一連の部分が、左右端の突合わせ部（突合わせ線）１２となっている。
【００１６】
図３の図中に二点鎖線で示した部分仮想線１６ａと部分仮想線１６ｂとを連続させた仮想線１６は、一直線であり、左右の折り線１１ａ、１１ｂに平行であり、また、後述する背板１７の折り線１７ｃに重なる。
図１に示すように、摘まみ部１３ａは、左折返し部１０ａの端部の出張り部分１２ａと部分仮想線１６ａとに挟まれている部分であり、摘まみ部１３ｂは、右折返し部１０ｂの端部の出張り部分１２ｃと部分仮想線１６ｂとに挟まれている部分である。
【００１７】
本実施例では、折畳み状態の広告基材１０の中に、クーポン券などの単独シート（シート類）１５が挿入されており、単独シート１５は、一般的な剥離台紙同様の非接着性の素材又はそれと同等の性質を備えるような表面処理を施したものが望ましい。
【００１８】
背板（ベース基材）１７は、その形状が、広告基材１０の中央部１０ｃに略等しく、広告基材１０に比べてやや厚く、平板状である。
背板１７の素材は、発泡樹脂の薄板などのように、柔軟性が無く、それほど力を加えなくても容易に折れるものがよい。
背板１７の中央には、広告基材１０の仮想線１６の真下の部分に折り線１７ｃが設けられている。折り線１７ｃは、背板１７を左右に略二分しており、折り線１７ｃの左側は、背板左部１７ａであり、右側は、背板右部１７ｂである。折り線１７ｃは、他の部分から薄くなるように窪ませた溝（押し筋）であってもよいし、ミシン目を設けて折り線としてもよい。
【００１９】
図４に示すように、広告基材１０は、その内側に剥離可能な接着剤（接着層）１４ａが塗布され、その接着剤１４ａによって折畳み状態が維持されている。
接着剤１４ａは、背板１７を折り曲げた場合に、摘まみ部１３ａ、１３ｂが、中央部１０ｃの面からうまく離れて立ち上げることができ、しかも、普段は開封前の折畳み状態を維持するのに十分な接着力を有するものを選定する。
また、広告基材１０と背板１７との間にも、剥離可能な接着剤１４ｂが塗布され、背板１７は、広告基材１０の背面に固定されている。
【００２０】
接着剤１４ａは、広告基材１０の内側全面に塗布してもよいが、図５に示すように、斜線を施した部分のみに塗布してもよい。
この場合は、摘まみ部１３ａ、１３ｂ及びこれらが折畳み状態で対向する部分１０ｓには接着剤１４ａを塗布していないので、摘まみ部１３ａ、１３ｂのどの部分にも接着剤１４ａが接触しないようになり、より開封しやすい形態となる。
【００２１】
図６及び図７は、ダイレクトメールを開封する過程を説明するための説明図（斜視図）である。
まず、図３の状態から背板１７の中央部（背板１７の折り線１７ｃの付近）を下から押し上げ、広告基材１０の両端部付近（左右の折り線１１ａ、１１ｂ付近）を押し下げるようにすると、中央部１０ｃは、背板１７の折り線１７ｃの真上のところで、背板１７とともに山折りされる。
【００２２】
そして、図６に示すように、摘まみ部１３ａ、１３ｂは、一体となっている左折返し部１０ａ、右折返し部１０ｂの同一平面から外れないで真直ぐな姿勢を保とうとするので、それぞれ上方に立ち上がる。
【００２３】
図６の状態から、摘まみ部１３ａ、１３ｂの一部を摘まんで間隔を広げていくと、図７に示すように、左折返し部１０ａ、右折返し部１０ｂは、中央部１０ｃから剥がされていく。
また、独立シート１５は、その一部が突出するような状態で現れる。この状態からさらに摘まみ部１３ａ、１３ｂを左右に引張ると、左折返し部１０ａ、中央部１０ｃ、右折返し部１０ｂが同一平面となり、図２の平面図に示した展開状態となる。
【実施例２】
【００２４】
図８及び図９は、本発明による情報送付媒体の実施例２を示す図である。
図８は、実施例１の場合の図４に相当するもので、実施例２の折畳み状態を示す説明図（端面図）であり、実施例１の場合の図３のＸ−Ｘに準じる位置で切断した端面を示している。
図９は、実施例１の場合の図２に相当するもので、実施例２の展開状態の平面図である。
なお、前述した実施例１と同様な機能を果たす部分には、同一の符号又は末尾に統一した符号を付して、重複する説明や図面を適宜省略する。
実施例１のダイレクトメールは、背板１７の折り線１７ｃを折ることによって、摘まみ部１３ａ、１３ｂを立ち上がらせて開封するものであったが、実施例２のダイレクトメールは、背板１７を使用せず、広告基材の素材を適宜選択することによって、同様の効果が得られるようにしたものである。
【００２５】
図８及び図９に示すように、実施例２のダイレクトメールは、広告基材２０のみで構成されている。広告基材２０の素材は、実施例１の広告基材１０よりもやや硬めで、屈曲性が少なく、中央の折り線２１ｃ付近で曲げようとすれば、折り線２１ｃの位置で容易に鋭角的に曲がり、折り線２１ｃ以外のところでは、比較的平面状態を保ち、適度に柔軟性のある素材を使用する。
このようにすれば、実施例１のような背板１７はなくても、広告基材２０自体の中央部２０ｃが、実施例１の背板１７の役目を果たす。したがって、中央部の折り線２１ｃで折ることによって、摘まみ部２３ａ、２３ｂが中央部２０ｃから立ち上がって摘まみやすくなり、簡単に開封することができ、背板１７分のコストを減少させながら、実施例１のものと同等の効果が得られる。
【００２６】
（変形例）
以上説明した実施例に限定されることなく、種々の変形や変更が可能であって、それらも本発明の均等の範囲内である。
図１０及び図１１は、ダイレクトメールの変形例の構造を示すための説明図（斜視図）である。
図１０は、広告基材３０、３８が、折畳み状態、展開状態のいずれでもなく半開きの状態で示してある。
図１１は、図１０のダイレクトメールの説明図（端面図）であって、実施例１の場合の図４に相当する折畳み状態のものであり、図３のＸ−Ｘに準じる位置で切断した端面を示している。
実施例１のダイレクトメールは、広告基材１０が１枚のみで背板１７の片側に貼付されているものであったが、図１０及び図１１に示すように、２枚の広告基材３０、３８を背板３７の両側に１枚ずつ貼付してもよい。
【００２７】
図１０及び図１１のダイレクトメールは、背板３７の上側に広告基材３０を、下側に広告基材３８を、それぞれ接着剤３４ｂで背板３７に接着してある。そして、接着剤３４ａは、広告基材３０、３８を、図１１に示す折畳み状態に維持する。
特に符号を付してはいないが、上側広告基材３０の摘まみ部は、背板３７の折り線３７ｃ付近を持ち上げるようにして山折りした場合に、背板３７から離れて立ち上がり、下側広告基材３８の摘まみ部は、折り線３７ｃ付近を押し下げるようにして谷折りした場合に、背板３７から離れて立ち上がる。このようなダイレクトメールにすれば、ダイレクトメールの情報量を増加させることができる。
【００２８】
図１２は、ダイレクトメールの他の変形例を折畳み状態で示す説明図（端面図）であって、図３のＸ−Ｘに準じる位置で切断した端面を示しており、実施例１の場合の図４に相当する。
実施例１のダイレクトメールは、広告基材１０の中央部の外側に背板１７を貼り付けて構成してあるが、図１２に示すように、この背板を広告基材の内側に貼り付けて構成してもよい。
【００２９】
図１２のダイレクトメールは、背板４７を広告基材４０で包み込むようにしてあり、背板４７の中央を左右に二分割する位置に折り線４７ｃが設けられている。
背板４７の上面と左折返し部４０ａ及び右折返し部４０ｂとは、接着剤４４ａで剥離可能に接着されている。背板４７の下面と中央部４０ｃとは、接着剤４４ｂで剥離可能に接着されている。したがって、この変形例の場合も、背板４７の折り線４７ｃの位置で山折りすることによって、図示しない摘まみ部は、接着剤４４ａの接着力に抗して背板４７の上面から離れ、立ち上がるようになっている。
【００３０】
その立ち上がった摘まみ部を摘まんで相互に引き離すことによって、左折返し部４０ａ、右折返し部４０ｂを背板４７から引き剥がすことができる。また、背板４７は、折り線４７ｃのところから割れるので、分割された背板左部４７ａ、背板右部４７ｂは、それぞれ接着剤４４ｂの接着力に抗して、中央部４０ｃから容易に引き離すことができる。そして、左折返し部４０ａ、中央部４０ｃ、右折返し部４０ｂの内面に表示されている広告情報は一直線になって、一つの平面上に表示される。
【００３１】
図１３は、ダイレクトメールのさらに他の変形例を示す平面図である。
実施例１及び実施例２のダイレクトメールは、突合わせ部が１つであるが、この突合わせ部を複数設けてもよい。
図１３のダイレクトメールの広告基材５０は、突合わせ部５２ａ、５２ｂ、５２ｃによって、４つの部分５０ａ、５０ｂ、５０ｃ、５０ｄに分割することができる。
【００３２】
二点鎖線５６ａ、５６ｂ、５６ｃは、両端部に平行な仮想線であり、これらの仮想線と突合わせ部とに挟まれる部分がそれぞれ摘まみ部となる。
仮想線５６ａ、５６ｂ、５６ｃの下側には、図示しない背板の折り線があって、その折り線のところを山折りすることによって、それぞれの摘まみ部を立ち上がらせて摘まみやすくすることができる。したがって、開封する者は、必然的に任意の場所から折って、部分的に開いていくことになるので、表示情報の見える範囲が少しずつ広がり、興味を引きやすい形態となる。
【００３３】
図１４〜図１７は、摘まみ部の変形例を示す図である。
摘まみ部の形状も、実施例１及び実施例２に示したもの以外に、デザインや摘まみ具合などを考慮したものが考えられる。
図１４及び図１６は、丸みのある摘まみ部６３ａ、６３ｂを有する広告基材６０を示す平面図であり、図１４は、折畳み状態を示し、図１６は展開状態を示している。
摘まみ部６３ａは、左折返し部６０ａの端部の出張り部分と、左折り線６１ａに平行する部分仮想線６６ａに挟まれる部分である。摘まみ部６３ｂは、右折返し部６０ｂの端部の出張り部分と右折り線６１ｂに平行する部分仮想線６６ｂに挟まれる部分である。
【００３４】
また、図１５及び図１７は、三角状の摘まみ部７３ａ、７３ｂを有する広告基材７０を示す平面図であり、図１５は、折畳み状態を示し、図１７は、展開状態を示している。
摘まみ部７３ａは、左折返し部７０ａの端部の出張り部分と左折り線７１ａに平行する部分仮想線７６ａに挟まれる部分である。
摘まみ部７３ｂは、右折返し部７０ｂの端部の出張り部分と右折り線７１ｂに平行する部分仮想線７６ｂに挟まれる部分である。
【００３５】
なお、図１４及び図１５の図中の二点鎖線は、広告基材６０、広告基材７０のそれぞれを開封する際に、山折りする位置を示している。図１６及び図１７の図中の二点鎖線は、独立シート６５、７５を挿入する位置を示している。
図１４及び図１６の広告基材６０の場合は、その折畳み状態を維持するための図示しない接着剤を、広告基材６０の内側全面に塗布している（図１６斜線部分参照）。したがって、広告基材６０に独立シート６５を挿入する場合は、その独立シート６５は接着剤が付かないタイプのものを採用する必要がある。
一方、図１５及び図１７の広告基材７０の場合は、図１７中の斜線を施した部分が、図示しない接着剤で剥離可能に接着される部分である。したがって、広告基材７０に挿入する独立シート７５は、接着剤に触れることはないので、特に処理していない通常のものでよい。
【００３６】
上述した各実施例では、情報送付媒体は、ダイレクトメールの例で説明したが、通常の郵送物やメール媒体などであってもよい。
【図面の簡単な説明】
【００３７】
【図１】本発明による情報送付媒体の実施例１を示す図（分解斜視図）である。
【図２】図１のダイレクトメールの広告基材１０の展開状態を示す平面図である。
【図３】図１のダイレクトメールの開封前の状態（折畳み状態）を示す斜視図である。
【図４】図３の図中のＸ−Ｘで切断し、その一部（中央部と両端部）を拡大して示す説明図（端面図）である。
【図５】接着剤を広告基材１０の折畳み状態の内側全面に対してではなく、一部選択的に塗布する場合の塗布範囲の一例を、展開状態で示した説明図（平面図）である。
【図６】ダイレクトメールを開封する過程を説明するための説明図（斜視図）である。
【図７】ダイレクトメールを開封する過程を説明するための説明図（斜視図）である。
【図８】本発明による情報送付媒体の実施例２を示す図である。
【図９】本発明による情報送付媒体の実施例２を示す図である。
【図１０】ダイレクトメールの変形例の構造を示すための説明図（斜視図）である。
【図１１】ダイレクトメールの変形例の構造を示すための説明図（斜視図）である。
【図１２】ダイレクトメールの他の変形例を折畳み状態で示す説明図（端面図）である。
【図１３】ダイレクトメールのさらに他の変形例を示す平面図である。
【図１４】摘まみ部の変形例を示す図である。
【図１５】摘まみ部の変形例を示す図である。
【図１６】摘まみ部の変形例を示す図である。
【図１７】摘まみ部の変形例を示す図である。
【符号の説明】
【００３８】
１０、２０  広告基材
１０ａ、２０ａ  左折返し部
１０ｂ、２０ｂ  右折返し部
１１ａ、２１ａ  左の折り線
１１ｂ、２１ｂ  右の折り線
１２  突合わせ部（突合わせ線）
１３ａ、１３ｂ、２３ａ、２３ｂ  摘まみ部
１４ａ、１４ｂ、２４ａ、２４ｂ  接着剤（接着層）
１５  単独シート（シート類）
１６  仮想線
１７  背板（ベース基材）
１７ｃ  背板の折り線
２１ｃ  中央の折り線
【図１】
2007168836.tif 000003
【図２】
2007168836.tif 000004
【図３】
2007168836.tif 000005
【図４】
2007168836.tif 000006
【図５】
2007168836.tif 000007
【図６】
2007168836.tif 000008
【図７】
2007168836.tif 000009
【図８】
2007168836.tif 000010
【図９】
2007168836.tif 000011
【図１０】
2007168836.tif 000012
【図１１】
2007168836.tif 000013
【図１２】
2007168836.tif 000014
【図１３】
2007168836.tif 000015
【図１４】
2007168836.tif 000016
【図１５】
2007168836.tif 000017
【図１６】
2007168836.tif 000018
【図１７】
2007168836.tif 000019